(57)【要約】【課題】庫内の上方領域および下方領域での温度分布を最適に制御することにより省エネ効率の向上および消費電力の低減を図ることのできるペーパーパック自動販売機および冷却装置の冷却制御方法を提供する。【解決手段】庫内の上方部に、上方領域温度を検出する第一サーミスタ３６を設け、下方部に、下方領域温度を検出する第二サーミスタ３７を設けるとともに、送風切り換えガイド手段４２の作動を制御する送風切り換え制御装置３９を備え、第一サーミスタ３６により検出された温度に基づいて送風切り換え制御装置３９による送風切り換えガイド手段４２の作動制御を、第二サーミスタ３７により検出された温度に基づいて冷却装置３０による冷気流のＯＮ／ＯＦＦ制御をおこなう。【選択図】      図１
2004258786.tif 000002
【特許請求の範囲】
【請求項１】
庫内に収納された複数のペーパーパック商品をコールド商品として冷却するペーパーパック自動販売機において、
前記庫内に収納されたペーパーパック商品を冷気による循環送風により冷却する冷却装置と、
前記冷却装置から送出された冷気を庫内の全領域に循環させる全領域送風或いは庫内の下方部領域に循環させる下方部領域送風のいずれかに切り換える機能を備えた送風切り換えガイド手段と、
前記庫内の上方領域温度を検出する第一温度検出手段および前記庫内の下方領域温度を検出する第二温度検出手段と、
前記送風切り換えガイド手段の作動を制御する送風切り換え制御装置とを備え、
前記送風切り換え制御装置による送風切り換えガイド手段の作動は、前記第一温度検出手段により検出された温度に基づいておこなわれ、
前記冷却装置による冷気のＯＮ／ＯＦＦ制御は、前記第二温度検出手段により検出された温度に基づいておこなわれることを特徴とするペーパーパック自動販売機。
【請求項２】
前記送風切り換え制御装置は、前記第一温度検出手段により検出された温度が基準冷却温度よりも低下している場合には、前記送風ガイド切り換え手段を作動させることにより、前記全領域冷却制御から前記ゾーンクーリング制御に冷却制御を切り換える機能を備えていることを特徴とする請求項１に記載のペーパーパック自動販売機。
【請求項３】
前記冷却装置は、冷却器および送風ファンとを内部に有する風胴部により構成されるとともに、当該風胴部は吹出ダクトを備え、当該吹出ダクトの内部に前記送風切り換えガイド手段を備えたことを特徴とする請求項１または２に記載のペーパーパック自動販売機。
【請求項４】
前記送風ガイド切り換え手段は、送風ガイド板と、当該送風ガイド板の作動をおこなう電磁ソレノイドとを備え、前記電磁ソレノイドによるＯＮ／ＯＦＦ制御により冷気流の切り換えをおこなうことを特徴とする請求項１、２または３に記載のペーパーパック自動販売機。
【請求項５】
庫内に収納された複数のペーパーパック商品をコールド商品として冷却するペーパーパック自動販売機の冷却装置による冷却制御方法において、前記ペーパーパック自動販売機の庫内下方部領域を冷気流により冷却するゾーンクーリング工程と、庫内全領域を冷却する全領域冷却工程と、庫内上方部に設けた第一温度検出手段により庫内上方領域の温度を検出する第一温度検出工程と、庫内下方部に設けた第二温度検出手段により庫内下方領域の温度を検出する第二温度検出工程と、前記第一温度検出工程により検出された温度に基づいて、全領域冷却制御工程からゾーンクーリング制御工程に冷却工程を切り換える送風切り換え制御工程と、前記第二温度検出工程により検出された温度に基づいて、前記冷却装置の作動を制御する冷却作動制御工程と、を備えたことを特徴とする冷却装置による冷却制御方法。
【発明の詳細な説明】
【０００１】
【発明の属する技術分野】
本発明は、シロップ飲料、コーヒー飲料、乳製品飲料などの各種ペーパーパック商品をコールド商品として販売するペーパーパック自動販売機および冷却装置による冷却制御方法に関するもので、特に、庫内の上方部に設けた温度検出手段により検出された温度に基づいて、全領域冷却制御とゾーンクーリング制御との切り換えを制御することにより、消費電力の低減および省エネ効率の向上を図ることのできるペーパーパック自動販売機および冷却装置による冷却制御方法に関する。
【０００２】
【従来の技術】
従来から、缶コーヒー飲料などを販売する缶商品専用の自動販売機とともに、商品購入の手軽さからコーヒー飲料、乳製品飲料などの各種飲料をペーパーパック商品として販売するペーパーパック自動販売機が広く普及している。このようなペーパーパック自動販売機の庫内に、牛乳などの乳製品飲料を収納（保存）する場合には、品質保持の点から庫内全体を所定の低温度まで冷却する必要がある。
【０００３】
このため、ペーパーパック自動販売機の庫内には、冷却器および送風ファンからなる冷却装置を備えている。そして、この冷却装置により庫内の全域を冷却する全領域冷却がおこなわれている。この従来のペーパーパック自動販売機について、図７を参照して簡単に説明する。
【０００４】
すなわち、図７に示すように、ペーパーパック自動販売機１は、庫内の下方部にエバポレータ３１（冷却器）と送風ファン３２からなる冷却装置３０を設けており、この冷却装置３０のエバポレータ３１を作動させるとともに、送風ファン３２の送風により吹き出しダクト４０を通じて吹出させた冷気流により庫内の全領域を循環送風（図７中の鎖線矢印）させることによりペーパーパック商品を基準冷却温度（１０℃以下）まで冷却する全領域冷却がおこなわれている。
【０００５】
また、この種のペーパーパック自動販売機における冷却装置の冷却制御方法としては、送風切り換えガイド手段を備えることにより、冷却装置３０による冷気流を庫内の下方部領域に循環させるゾーンクーリング制御をおこなうことによりラック内に収納した商品のうち販売順位の早い商品（以下、『ＮＥＸＴ商品』と称する。）を優先的に冷却した後、全域冷却制御に切換えるようにした冷却装置の冷却制御方法が知られている（例えば、特許文献１参照）。
【０００６】
【特許文献１】
特開２００２−５６４４９号公報
【０００７】
【発明が解決しようとする課題】
ところが、上述した従来のペーパーパック自動販売機の冷却装置による冷却制御方法では以下の問題がある。すなわち、前述したように従来では、庫内の下方部に冷却装置３０を設け、この冷却装置３０による冷気流を庫内全体に循環させて冷却をおこなっているが、図７に示すように、冷却装置３０から送風ファン３２により送風された冷気流は、庫内の奥側下方領域から手前側上方領域に向けて順番に循環するため（図中の鎖線矢印方向）、各領域の冷却温度分布は、領域▲１▼＜領域▲２▼＜領域▲３▼＜領域▲４▼となり、本来、一番冷却温度が低温でなければいけない領域▲４▼に位置するＮＥＸＴ商品の冷却温度が最も高い温度となってしまうという問題がある。
【０００８】
また、前述した特許文献１に記載の発明によると、最初に庫内の下方部冷却をおこなうゾーンクーリングが完了した後に、送風切り換えガイド手段を作動させることにより冷気流の送風方向を切り換えて庫内の全領域を冷却する全領域冷却制御をおこなっている。
【０００９】
ところが、ＮＥＸＴ商品は、庫内の上方部に収納する商品の保冷温度よりも低い温度である０〜第２基準冷却温度（基準冷却温度よりも低い温度）程度まで冷却する必要があるが、この一方、上方部に収納する商品の保冷温度は、基準冷却温度である１０℃程度でよいため、この上部領域の温度が例えば、１０℃程度まで冷却されている場合には、冷却装置３０による冷却の必要はないと考えられ、ペーパーパック自動販売機のランニングコストおよび省エネの観点から問題となる。むしろ、ゾーンクーリング制御が完了した後に、全領域冷却制御による循環により下方部領域の温度が上昇してしまい、ＮＥＸＴ商品の保冷に悪影響を及ぼす恐れがある。
【００１０】
以上のように、従来の冷却装置による冷却制御方法では、全領域冷却制御による循環送風により冷却温度が低温でなければいけないＮＥＸＴ商品の冷却温度が高い温度となってしまううえ、上方部領域の温度に関係なく常時、全領域冷却制御をおこなう場合には、必要以上に消費電力を消費するという問題がある。
【００１１】
本発明は上記実情に鑑みてなされたものであり、自販機の庫内上方部に設けた第一温度検出手段により検出された温度に基づいて、送風切り換えガイド手段の作動をおこなうとともに、庫内の上方領域および下方領域での温度分布を最適に制御することにより省エネ効率の向上および消費電力の低減を図ることができるペーパーパック自動販売機および冷却装置による冷却制御方法を提供することを目的とする。
【００１２】
【課題を解決するための手段】
上記目的を達成するために、本発明の請求項１に係るペーパーパック自動販売機は、庫内に収納された複数のペーパーパック商品をコールド商品として冷却するペーパーパック自動販売機において、前記庫内に収納されたペーパーパック商品を冷気による循環送風により冷却する冷却装置と、前記冷却装置から送出された冷気を庫内の全領域に循環させる全領域送風或いは庫内の下方部領域に循環させる下方部領域送風のいずれかに切り換える機能を備えた送風切り換えガイド手段と、前記庫内の上方領域温度を検出する第一温度検出手段および前記庫内の下方領域温度を検出する第二温度検出手段と、前記送風切り換えガイド手段の作動を制御する送風切り換え制御装置とを備え、前記送風切り換え制御装置による送風切り換えガイド手段の作動は、前記第一温度検出手段により検出された温度に基づいておこなわれ、前記冷却装置による冷気のＯＮ／ＯＦＦ制御は、前記第二温度検出手段により検出された温度に基づいておこなわれることを特徴とする。
【００１３】
また、本発明の請求項２に係るペーパーパック自動販売機は、上述した請求項１において、前記送風切り換え制御装置は、前記第一温度検出手段により検出された温度が基準冷却温度よりも低下している場合には、前記送風ガイド切り換え手段の作動により、前記全領域冷却制御から前記ゾーンクーリング制御に冷却制御を切り換える機能を備えていることを特徴とする。
【００１４】
また、本発明の請求項３に係るペーパーパック自動販売機は、上述した請求項１または２において、前記第一温度検出手前記冷却装置は、冷却器および送風ファンとを内部に有する風胴部により構成されるとともに、当該風胴部は、この風胴部は吹出ダクトを備え、当該吹出ダクトの内部に前記送風切り換えガイド手段を備えたことを特徴とする。
【００１５】
また、請求項４に係るペーパーパック自動販売機は、上述した請求項１、２または３において、前記送風ガイド切り換え手段は、送風ガイド板と、当該送風ガイド板の作動をおこなう電磁ソレノイドとを備え、前記電磁ソレノイドによるＯＮ／ＯＦＦ制御により冷気流の切り換えをおこなうことを特徴とする。
【００１６】
また、請求項５に係る冷却装置による冷却制御方法は、庫内に収納された複数のペーパーパック商品をコールド商品として冷却するペーパーパック自動販売機の冷却装置による冷却制御方法において、前記ペーパーパック自動販売機の庫内下方部領域を冷気流により冷却するゾーンクーリング工程と、庫内全領域を冷却する全領域冷却工程と、庫内上方部に設けた第一温度検出手段により庫内上方領域の温度を検出する第一温度検出工程と、庫内下方部に設けた第二温度検出手段により庫内下方領域の温度を検出する第二温度検出工程と、前記第一温度検出工程により検出された温度に基づいて、全領域冷却制御工程からゾーンクーリング制御工程に冷却工程を切り換える送風切り換え制御工程と、前記第二温度検出工程により検出された温度に基づいて、前記冷却装置の作動を制御する冷却作動制御工程と、を備えたことを特徴とする。
【００１７】
【発明の実施の形態】
以下に添付図面を参照して、本発明に係るペーパーパック自動販売機および冷却装置による冷却制御方法の好適な実施の形態について詳細に説明する。ここで、本発明の特徴は、庫内の上方部に上方領域温度を検出する第一サーミスタ３６を、庫内の下方部に下方領域温度を検出する第二サーミスタ３７を設け、第一温度検出手段により検出された温度に基づいて全領域冷却制御とゾーンクーリング制御との切り換えを制御し、第二温度検出手段により検出された温度に基づいて冷却装置による冷気のＯＮ／ＯＦＦ制御をおこなうことにある。
【００１８】
図１は、本発明の実施の形態であるペーパーパック自動販売機の概略構成を示す側面図である。また、図２は、ペーパーパック自動販売機の下方部を示す拡大図である。ここで、図１、２において、実線矢印はゾーンクーリングによる循環送風の経路、鎖線矢印は全領域冷却送風による循環送風の経路をそれぞれ示している。
【００１９】
すなわち、図１で例示するペーパーパック自動販売機１は、コーヒー飲料、乳製品飲料などの各種飲料をペーパーパック商品として販売するための自動販売機で、本体キャビネット１０および前面外扉２０を備えて構成してある。
【００２０】
本体キャビネット１０は、前面（図１の右側）が開口した直方体状を成すもので、この本体キャビネット１０の内部に、ペーパーパック商品を上下に積み上げて収納する直積式のラック２１を搭載している。また、直積式ラック２１下方部には、このラック２１から落下（搬出）した商品を商品取出口２３に搬出する水平コンベヤ２４を設けている。また、庫内の上部位置には、庫内の上方領域温度を検出するための第一サーミスタ３６（第一温度検出手段）が設けられている。
【００２１】
そして、このラック２１内に収納された商品は、ユーザによる購入指示（販売指令）に基づくベンド機構（図示せず）の作動によりラック２１内（各コラム毎）に収納した商品を最下位の商品から順に下方に落下させるとともに、水平コンベヤ２４により商品取出口２３から搬出するようしている。
【００２２】
また、図２に詳示するようにペーパーパック自動販売機１を構成する庫内の底部側には、冷却装置３０を備えている。３４は、図示しないコンプレッサなどが内部に設けられたコンデンシングユニットである。冷却装置３０は、エバポレータ３１（蒸発器）、送風ファン３２とを内部に備えた風胴３３により構成されており、庫内の前方（図２の右側）に開口した吸込口から吸引した庫内空気をエバポレータ３１により冷却し、送風ファン３２による送風で吹出ダクト４０を通じて庫内に吹き出すことができる。また、この冷却装置４０の近傍位置には、庫内の下方領域温度を検出するための第二サーミスタ３７（第二温度検出手段）が設けられている。
【００２３】
また、図３（ａ）、（ｂ）に示すように、冷却装置３０を構成する風胴３３の後端側には庫内の上方部に向けた開口部４１を有する吹出ダクト４０が連結されており、この吹出ダクト４０の内部には送風切り換えガイド手段４２が備えられ、この開口部４１を通じて庫内の全領域に冷気流を循環させる全領域冷却をおこなうことができる。さらに、吹出ダクト４０の側面部にも送風口４３が開口しており、この送風口４３を通じて庫内の下方部に向けて冷気を送風するゾーンクーリングをおこなうことができる。
【００２４】
以下、図３（ａ）、（ｂ）を参照して送風切り換えガイド手段の詳細を説明する。すなわち、図３（ａ）、（ｂ）に示すように、送風切り換えガイド手段４２は、送風ガイド板４５と、この送風ガイド板４５の基端部を軸支する回動軸４６とを備えており、回動軸４６は、吹出ダクト４０の内壁面に取付け固定されるとともに、この回転軸４６は、電磁ソレノイド５０に連結されている。
【００２５】
図３（ａ）は、ゾーンクーリング制御時の送風切り換えガイド手段の作動を説明する図である。すなわち、ゾーンクーリング制御をおこなう場合には、電磁ソレノイド５０のＯＮ制御により送風ガイド板４５を反時計方向に回動する。これにより、送風ガイド板４５が支軸２５を支点に時計方向に揺動し、ほぼ４５°の角度の位置に停止して吹出ダクト２８の上端開口部４１を閉塞する。これにより、冷却装置４０から送風された冷気は上端開口部４１ではなく送風口３２から送出（実線矢印）されるため、庫内の下方部に収納されたＮＥＸＴ商品に対する冷却をおこなうことができる。
【００２６】
図３（ｂ）は、全領域冷却制御時の送風切り換えガイド手段の作動を説明する図である。すなわち、ゾーンクーリング制御から全領域冷却制御に切り換えた場合には、電磁ソレノイド５０のＯＦＦ制御により送風ガイド板４５を反時計方向に回動する。これにより、回動した送風ガイド板２０により送風口３２が閉塞するため、冷却装置３０から送風された冷気は上端開口部４１を通じて庫内の上部側に送出され（図中、鎖線矢印）、この送出された冷却流により庫内の全領域に収納された商品に対する全体領域冷却がおこなわれるものとなる。
【００２７】
図４は、上述したペーパーパック自動販売機における冷却装置に関する制御系を示す機能ブロック図である。同図に示すように、ペーパーパック自動販売機１に備えられる制御部１５には、エバポレータ３１およびコンデンシングユニット３４を有する冷却装置３０、送風ファン３２および送風ファン駆動用の送風モータ３５、送風切り換え制御装置３９、送風切り換えガイド手段４２、電磁ソレノイド５０、庫内の上方部領域温度を検出する第一サーミスタ３６、庫内の下方部領域温度を検出する第二サーミスタ３７が接続されている。コンデンシングユニット３４は、コンプレッサ５１および冷媒の流通の開閉をおこなう電磁バルブ５２とを有している。
【００２８】
第一サーミスタ３６は、庫内の上部領域温度を検出する機能を有しており、この第一サーミスタ３６により検出された温度に基づいて、送風切り換え制御装置３９による送風切り換えガイド手段４２の作動制御がおこなわれる。第二サーミスタ３７は、庫内の下部領域温度を検出する機能を有しており、この第二サーミスタ３７により検出された温度に基づいて、冷却装置３０による冷気のＯＮ／ＯＦＦ制御をおこなうことができる。
【００２９】
送風切り換え制御装置３９は、第一サーミスタ３６により検出された上方領域温度に基づいて送風切り換えガイド手段４２を作動させゾーンクーリングと全領域冷却制御との切り換えをおこなう機能を備えている。送風ファン３２は、送風モータ３５により駆動されるとともに、冷却装置３０からの冷却空気を庫内に循環させる機能を備えている。
【００３０】
具体的には、第二サーミスタ３７により検出された温度に基づいて、電磁バルブ５２の開閉制御およびコンプレッサ５１の運転がおこなわれる。そして、コンプレッサ５１の駆動により、電磁ブルブ５２を介してエバポレータ３１に冷媒を供給するとともに、エバポレータ３１との熱交換により冷却された冷気流を送風ファン３２により吹き上げダクト４０を通じて庫内に循環送風させ、これにより、ラック２１に収納した商品の冷却をおこなうことができる。制御部１５は、これら各構成要素の動作を統括的に制御する機能を備えている。
【００３１】
図５は、本発明のペーパーパック自動販売機の全体制御構成を示すフローチャートである。すなわち、本発明のペーパーパック自動販売機における冷却装置による冷却制御方法は、（１）ゾーンクーリング工程（ステップＳ５１０）、（２）全領域冷却工程（ステップＳ５２０）、（３）第一温度検出工程（ステップＳ５３０）、（４）第二温度検出工程（ステップＳ５４０）、（５）送風切り換え制御工程（ステップＳ５５０）、（６）冷却作動制御工程（ステップＳ５６０）の６つの処理工程により構成されている。
【００３２】
先ず、これら（１）〜（６）の各処理工程について簡単に説明する。（１）ゾーンクーリング工程は、ペーパーパック自動販売機の庫内の下方部領域を冷気流により冷却する処理工程である。（２）全領域冷却工程は、庫内の全域を冷却する制御工程である。（３）第一温度検出工程は、庫内上方部に設けた第一サーミスタ３６（第一温度検出手段）により庫内上方領域の温度を検出する処理工程である。（４）第二温度検出工程は、庫内下方部に設けた第二サーミスタ３７（第二温度検出手段）により庫内下方領域の温度を検出する処理工程である。（５）送風切り換え制御工程は、第一温度検出手段である第一サーミスタ３６により検出された温度に基づいて、全領域冷却制御工程からゾーンクーリング制御工程に冷却工程を切り換える処理工程である。（６）冷却作動制御工程は、第二温度検出工程により検出された温度に基づいて、冷却装置３０（ＯＮ／ＯＦＦ）の作動を制御する処理工程である。
【００３３】
以下、本発明におけるペーパーパック自動販売機における冷却制御方法の詳細について、図６を参照して説明する。この図６は、本発明の冷却装置による冷却制御方法の処理手順を示すフローチャートを示している。
【００３４】
すなわち、図６のフローチャートに示すように、先ず、ペーパーパック自動販売機のイニシャルプルダウン時の状態を電源ＯＮの有無により判断し（ステップＳ６１０）この電源ＯＮ時には（ステップＳ６１０肯定）、ゾーンクーリング制御による冷却制御をおこなう（ステップＳ６２０）。ここで、イニシャルプルダウン状態時とは、電源ＯＮ時以外に、新規に自動販売機を設置した時、通常のローディング時のタイミングをいう。
【００３５】
また、前述したように、ゾーンクーリング制御とは、最初に販売するＮＥＸＴ商品の冷却をおこなう目的で、庫内の下方部に向けて冷却装置３０からの冷気を循環送風させる制御である。具体的には、図３（ａ）に示すように、送風切り換え手段４２を作動させることにより、送風口４３から冷気を送出しＮＥＸＴ商品の冷却をおこなうものである。
【００３６】
次いで、第二サーミスタ３７により庫内下方部領域の温度Ｔを検出する（ステップＳ６３０）。そして、この第二サーミスタ３７により検出された検出温度に基づいて庫内の温度Ｔが基準冷却温度Ｔ１（１０℃以下）であるか否かの判定をおこない、（ステップＳ６４０）、庫内の温度Ｔが基準冷却温度Ｔ１（１０℃以下）である場合には（ステップＳ６４０肯定）、送風切り換えガイド手段４２（図４）を作動させることにより全領域冷却制御をおこなう（ステップＳ６５０）。ここで、前述したように全領域冷却制御とは、庫内の全領域に対して冷却装置からの冷気を循環送風させる制御である。
【００３７】
以下、ステップＳ６６０に移行し、第一サーミスタ３６により庫内の上方部領域の温度Ｔを検出する（ステップＳ６６０）。そして、この第一サーミスタ３６により検出された温度Ｔが６℃以下であるかの判定をおこない（ステップＳ６７０）。このステップＳ６７０による判定により温度Ｔが第２基準冷却温度以下である場合には（ステップＳ６７０肯定）、再度、ゾーンクーリング制御によるゾーンクーリング制御工程をおこなうとともに（ステップＳ６８０）、次の、ステップＳ６８５に移行する。すなわち、ステップＳ６７０の処理は、庫内の上方領域に対して全領域冷却制御をおこなう必要があるかを判定する処理で、この上方領域が基準冷却温度に保冷している際には、ゾーンクーリング制御に切り換えて冷却装置の稼動負荷を低減するようにしている。
【００３８】
一方、ステップＳ６７０の判定により温度Ｔが第２基準冷却温度以下でない場合には、ステップＳ６８０によるゾーンクーリング制御をおこなうことなく、ステップＳ６８５の処理に移行し、このステップＳ６８５により第二サーミスタ３７により庫内の温度Ｔを検出する処理をおこなう。
【００３９】
そして、第二サーミスタ３７により検出された温度Ｔが冷却装置３０の作動温度であるか否かの判定をおこない（ステップＳ６８８）、温度Ｔが冷却装置３０の作動温度である場合には（ステップＳ６８８肯定）、電磁バルブ５２（図４）の開放をおこなうとともに、（ステップＳ６９０）、冷却装置３０の作動を開始するものとなる（ステップＳ６９５）具体的には、送風切具体的には、コンプレッサ５２を作動させるとともに、電磁ブルブ５１を開けて冷媒をエバポータ３１に送り込む。
【００４０】
上記により、直積式ラック４に収納したペーパーパック商品５をゾーンヒーティングによりコールド商品として販売することができ、また庫内上方空間への暖気循環を抑えて余分な領域の冷却を回避することで冷却装置３０の運転率、消費電力の節減化が図れる。
【００４１】
なお、上述した実施の形態では送風ガイド手段４２を作動させるアクチュエータとして、電磁ソレノイド５０を採用しているが、これに限定されるのもではなく、その他、例えばリンク機構などにより送風ガイド板４５の作動を制御することもできる。
【００４２】
以上のように、本発明では、庫内の上方部に上方領域温度を検出する第一サーミスタ３６を、庫内の下方部に下方領域温度を検出する第二サーミスタ３７を設け、この第一サーミスタ３６により検出された温度に基づいて全領域冷却制御とゾーンクーリング制御との切り換えを制御し、第二サーミスタ３７により検出された温度に基づいて冷却装置による冷気のＯＮ／ＯＦＦ制御をおこなうので、上部領域の温度を基準冷却温度（１０℃以下）に、ＮＥＸＴ商品の収納された下部領域の温度を販売に適した適温温度（０〜第２基準冷却温度）に保冷することができるため、省エネ効率の向上および消費電力の低減を図ることができる。
【００４３】
また、ペーパーパック自動販売機により販売される商品が乳製品など低温冷却により品質を保持する必要がある商品の場合、一度１０℃以下に冷却された商品が、何らかの原因により１０℃以上（一定時間継続）となった場合には「ヘルスコード」が作動するが、本発明では、この「ヘルスコード」の作動を確実に回避することができる。
【００４４】
なお、上述した実施の形態では、特にペーパーパック商品を発売するためのペーパーパック自動販売機１を例示しているが、本発明は、その他の飲料を販売するものにも、もちろん適用することが可能である。
【００４５】
【発明の効果】
以上説明したように、本発明の請求項１に係るペーパーパック自動販売機によれば、庫内の上方領域温度を検出する第一温度検出手段により検出された温度に基づいて、全領域冷却制御とゾーンクーリング制御との切り換えをおこない、庫内の下方領域温度を検出する第二温度検出手段３７により検出された温度に基づいて、冷却装置による冷気のＯＮ／ＯＦＦ制御はおこなうので、庫内の上部領域および下部領域での温度分布を合理的な温度領域として制御することができるため、庫内全体および冷却装置による冷却負荷の低減にともない、省エネ効率の向上および消費電力の低減を図ることができる。
【００４６】
また、請求項２に係るペーパーパック自動販売機によれば、送風切り換え制御装置は、前記第一温度検出手段により検出された温度が基準冷却温度よりも低下している場合には、前記送風ガイド切り換え手段の作動により、全領域冷却制御からゾーンクーリング制御に冷却制御を切り換える機能を備えているので、上部領域の温度を基準冷却温度（１０℃以下）に、ＮＥＸＴ商品の収納された下部領域の温度を販売に適した適温温度（０〜第２基準冷却温度）に保冷することができるため、省エネ効率の向上および消費電力の低減を図ることができる。
【００４７】
また、請求項３に係るペーパーパック自動販売機によれば、冷却装置は、冷却器および送風ファンとを内部に有する風胴部により構成されるとともに、風胴部は、この風胴部に連結された吹出ダクトを備え、この吹出ダクトの内部に送風切り換えガイド手段を備えているので、この送風切り換えガイド手段の作動により全領域冷却制御とゾーンクーリング制御との切り換えを確実におこなうことができる。
【００４８】
また、請求項４に係るペーパーパック自動販売機によれば、送風ガイド切り換え手段は、送風ガイド板と、当該送風ガイド板の作動をおこなう電磁ソレノイドとを備え、前記電磁ソレノイドによるＯＮ／ＯＦＦ制御により冷気流の切り換えおこなうことができるので、この電磁ソレノイドの作動により全領域冷却制御とゾーンクーリング制御との切り換えを容易におこなうことができる。
【００４９】
また、請求項５に係る冷却装置による冷却制御方法によれば、第一温度検出工程により検出された温度に基づいて、全領域クーリング制御工程からゾーンクーリング制御工程への切り換えを送風切り換え制御工程によりおこなうので、庫内各領域の温度を、適正な冷却温度帯で制御することができるうえ、余分な上方領域への冷却を抑制することにより冷却装置の運転率の低減に伴い消費電力の低減を図ることができる。
【図面の簡単な説明】
【図１】本発明の実施の形態であるペーパーパック自動販売機の全体概略構成を示す側面図である。
【図２】図１に示したのペーパーパック自動販売機の下方部拡大図である。
【図３】（ａ）は、ゾーンクーリング制御時、（ｂ）は、全領域冷却制御時の送風ガイド切り換え手段の作動状態を示す図である。
【図４】図１に示したペーパーパック自動販売機の構成を示した機能ブロック図である。
【図５】図１に示したペーパーパック自動販売機による冷却制御方法の全体制御処理を示したフローチャートである。
【図６】図１に示したペーパーパック自動販売機による冷却制御方法の制御処理手順を示したフローチャートである。
【図７】従来のペーパーパック自動販売機の全体概略構成および庫内各領域の温度分布を示す説明図である。
【符号の説明】
１    ペーパーパック自動販売機
１０  キャビネット本体
２０  前面外扉
２１  ラック
２３  商品取出口
２５  水平コンべア
３０  冷却装置
３１  エバポレータ（冷却器）
３２  送風ファン
３３  風胴
３４  コンデンシングユニット
３５  送風モータ
３６  第一サーミスタ（第一温度検出手段）
３７  第二サーミスタ（第一温度検出手段）
３９  送風切り換え制御装置
４０  吹出ダクト
４１  開口部
４２  送風切り換えガイド手段
４３  送風口
４５  送風ガイド板
４６  回動軸
５０  電磁ソレノイド
５１  コンプレッサ
５２  電磁バルブ
【図１】
2004258786.tif 000003
【図２】
2004258786.tif 000004
【図３】
2004258786.tif 000005
【図４】
2004258786.tif 000006
【図５】
2004258786.tif 000007
【図６】
2004258786.tif 000008
【図７】
2004258786.tif 000009